(57)【要約】【課題】着信者の状態に応じて、メッセージの通知方法を切替えること。【解決手段】サーバは、ユーザの状態を表す情報を含む加入者情報を格納する記憶部と、発信側のユーザ端末からのメッセージに基づいて、記憶部に格納された加入者情報から、着信側のユーザ端末に対応する加入者情報を取得し、メッセージの形式が着信側により認識できるかどうかを判定するメッセージ形式判定部と、該メッセージが着信側に認識できないと判定された場合、該着信側に認識できる形式に、メッセージを変換するメッセージ変換部と、着信側に、変換されたメッセージを送信する送信部とを有する。【選択図】図８
2013098850.tif 000002
【特許請求の範囲】
【請求項１】
ユーザの状態を表す情報を含む加入者情報を格納する記憶部と、
発信側のユーザ端末からのメッセージに基づいて、前記記憶部に格納された加入者情報から、着信側のユーザ端末に対応する加入者情報を取得し、前記メッセージの形式が着信側により認識できるかどうかを判定するメッセージ形式判定部と、
該メッセージ形式判定部により前記メッセージが前記着信側に認識できないと判定された場合、該着信側に認識できる形式に、前記メッセージを変換するメッセージ変換部と、
前記着信側に、前記メッセージ変換部により変換されたメッセージを送信する送信部と
を有する、サーバ。
【請求項２】
請求項１に記載のサーバにおいて、
前記メッセージ形式判定部は、着信側のユーザ端末に対応する加入者情報に基づいて、着信側により音声メッセージ及び文字メッセージの少なくとも一方を認識できるかどうかを判定する、サーバ。
【請求項３】
請求項１又は２に記載のサーバにおいて、
前記メッセージ変換部は、文字メッセージに、該発信側から着信側への音声メッセージを変換し、
前記送信部は、パケット交換網を介して、前記メッセージ変換部により文字メッセージに変換された前記発信側から着信側への音声メッセージを送信する、サーバ。
【請求項４】
請求項３に記載のサーバにおいて、
前記発信側のユーザ端末からのメッセージから、発信側を識別するための情報を取得する発信者情報取得部と、
該発信者情報取得部により取得される発信側を識別するための情報に基づいて、音声メッセージに、前記文字メッセージを変換する際に利用する音声パラメータを設定する出力音声設定部と、
該出力音声設定部により設定された音声パラメータを利用して、音声メッセージに、前記文字メッセージを変換する音声メッセージ再生制御部と
を有し、
前記送信部は、前記音声メッセージ再生制御部により変換された音声メッセージを出力する、サーバ。
【請求項５】
請求項４に記載のサーバにおいて、
前記出力音声設定部は、前記発信側に対応する加入者情報に、該発信側の声を合成するための音声パラメータが登録されている場合には、該発信側の声を合成するための音声パラメータを設定する、サーバ。
【請求項６】
請求項４に記載のサーバにおいて、
所定の条件により、所定のカテゴリに、発信側を分類するための発信側分類テーブルと、
各カテゴリに分類される１又は複数の発信側により利用される再生用パラメータを含む音声パラメータテーブルと
を有し、
前記出力音声設定部は、発信側に対応する加入者情報に含まれる情報に基づいて、前記発信側分類テーブルから該発信側が分類されるカテゴリを特定し、前記音声パラメータテーブルから、該カテゴリに対応する音声パラメータを特定し、該音声パラメータを設定する、サーバ。
【請求項７】
ユーザの状態を表す情報を含む電話帳を格納する記憶部と、
該記憶部に格納された電話帳から、着信側のユーザ端末のユーザに対応する電話帳を取得し、着信側へのメッセージの形式が着信側により認識できるかどうかを判定するメッセージ形式判定部と、
該メッセージ形式判定部により前記メッセージが前記着信側に認識できないと判定された場合、該着信側に認識できるメッセージの形式に、前記メッセージを変換するメッセージ変換部と、
前記着信側に、前記メッセージ変換部により変換されたメッセージを送信する送信部と
を有する、ユーザ端末。
【請求項８】
請求項７に記載のユーザ端末において、
前記メッセージ形式判定部は、着信側のユーザ端末に対応する電話帳に基づいて、着信側により音声メッセージ及び文字メッセージの少なくとも一方を認識できるかどうかを判定する、ユーザ端末。
【請求項９】
請求項７又は８に記載のユーザ端末において、
前記メッセージ変換部は、文字メッセージに、該発信側から着信側への音声メッセージを変換し、
前記送信部は、パケット交換網を介して、前記メッセージ変換部により文字メッセージに変換された前記発信側から着信側への音声メッセージを送信する、ユーザ端末。
【請求項１０】
請求項９に記載のユーザ端末において、
前記発信側のユーザ端末からのメッセージから、発信側を識別するための情報を取得する発信者情報取得部と、
該発信者情報取得部により取得される発信側を識別するための情報に基づいて、音声メッセージに、前記文字メッセージを変換する際に利用する音声パラメータを設定する出力音声設定部と、
該出力音声設定部により設定された音声パラメータを利用して、音声メッセージに、前記文字メッセージを変換する音声メッセージ再生制御部と
を有し、
前記送信部は、前記音声メッセージ再生制御部により変換された音声メッセージを出力する、ユーザ端末。
【請求項１１】
請求項１０に記載のユーザ端末において、
前記出力音声設定部は、当該ユーザ端末に、該発信側の声を合成するための音声パラメータが登録されている場合には、該発信側の声を合成するための音声パラメータを設定する、ユーザ端末。
【請求項１２】
請求項１０に記載のユーザ端末において、
所定の条件により、所定のカテゴリに、発信側を分類するための発信側分類テーブルと、
各カテゴリに分類される１又は複数の発信側により利用される再生用パラメータを含む音声パラメータテーブルと
を有し、
前記出力音声設定部は、発信側に対応する加入者情報に含まれる情報に基づいて、前記発信側分類テーブルから該発信側が分類されるカテゴリを特定し、前記音声パラメータテーブルから、該カテゴリに対応する音声パラメータを特定し、該音声パラメータを設定する、ユーザ端末。
【請求項１３】
発信側のユーザ端末からのメッセージに基づいて、ユーザの状態を表す情報を含む加入者情報を格納する記憶部に格納された加入者情報から、着信側のユーザ端末に対応する加入者情報を取得し、前記メッセージの形式が着信側により認識できるかどうかを判定するメッセージ形式判定ステップと、
該メッセージ形式判定ステップにより前記メッセージが前記着信側に認識できないと判定された場合、該着信側に認識できる形式に、前記メッセージを変換するメッセージ変換ステップと、
前記着信側に、前記メッセージ変換ステップにより変換されたメッセージを送信する送信ステップと
を有するサーバにおける通信方法。
【請求項１４】
ユーザの状態を表す情報を含む電話帳を格納する記憶部に格納された電話帳から、着信側のユーザ端末のユーザに対応する電話帳を取得し、着信側へのメッセージの形式が着信側により認識できるかどうかを判定するメッセージ形式判定ステップと、
該メッセージ形式判定ステップにより前記メッセージが前記着信側に認識できないと判定された場合、該着信側に認識できるメッセージの形式に、前記メッセージを変換するメッセージ変換ステップと
前記着信側に、前記メッセージ変換ステップにより変換されたメッセージを送信する送信ステップと
を有するユーザ端末における通信方法。
【発明の詳細な説明】
【技術分野】
【０００１】
本発明は、無線通信システムに関する。
【背景技術】
【０００２】
地震などの大規模な災害が発生したときには、災害の復旧活動にあたる行政や防災機関などに加えて、多くのユーザが被災地への安否確認などに音声電話を利用する。このとき、通常時と比べて多量のトラフィックがネットワークで処理されることになる。多量のトラフィックがネットワークで処理されることにより、通信がつながりにくい状態となる。通信がつながりにくい状態となるため、通信を規制することにより、トラヒックのネットワークコントロールが実施される。
【０００３】
移動通信ネットワークには、回線交換（ＣＳ：  Ｃｉｒｃｕｉｔ  Ｓｗｉｔｃｈｉｎｇ）呼を処理するネットワークと、パケット交換（ＰＳ：  Ｐａｃｋｅｔ  Ｓｗｉｔｃｈｉｎｇ）呼を処理するネットワークとが含まれる。
【０００４】
しかし、ＣＳ呼とＰＳ呼のネットワークコントロールが、３ＧＰＰ（３ｒｄ  Ｇｅｎｅｒａｔｉｏｎ  Ｐａｒｔｎｅｒｓｈｉｐ  Ｐｒｏｊｅｃｔ）標準仕様で独立に制御できないように規定されているため、ＰＳ呼のトラヒック量が少ない状況のときでも、音声電話などのＣＳ呼の規制率にしたがってＰＳ呼が必要以上に規制されていた。
【０００５】
そこで、３ＧＰＰ標準仕様に、ＣＳ呼とＰＳ呼のネットワークコントロールを独立に行う機能を追加することが行われた（例えば、非特許文献１参照）。
【０００６】
従って、ＣＳ呼が規制されている場合でも、ＰＳ呼による通信が可能な場合がある。
【０００７】
通信端末に関して、入力された通話入力を認識し、該通話入力を通話内容データに変換し、該通話内容データを基に通話入力に関連する通話内容補助データを生成するものが知られている。該通信端末は、通話品質レベルが予め設定された基準レベル以下であるかどうかを判断し、通話品質レベルが予め設定された基準レベル以下になったと判断したとき、通話内容補助データを通話中の相手に送信する（例えば、特許文献１参照）。
【先行技術文献】
【特許文献】
【０００８】
【特許文献１】特開２００８−０４２３８６号公報
【非特許文献】
【０００９】
【非特許文献１】野口勝広、金内正臣、河端剛史、藤村広太  「ＦＯＭＡアクセス規制の回線交換／パケット交換分離機能」、ＮＴＴ  ＤｏＣｏＭｏテクニカル・ジャーナルＶｏｌ．１４  Ｎｏ．４  ２００７年１月
【発明の概要】
【発明が解決しようとする課題】
【００１０】
ＣＳ呼が規制されている場合に、規制されていないＰＳ呼に、許容される以上のトラヒックが集中する場合がある。ＰＳ呼に、許容される以上のトラヒックが集中した場合、ＰＳ呼も規制される場合がある。
【００１１】
ＣＳ呼及びＰＳ呼の両方が規制されるのを防止するためには、ネットワークに対する負荷を考慮する必要がある。
【００１２】
また、ＣＳ呼が規制されているために、ＰＳ呼による通信を行うユーザは、着信者に声を聞かせたい要求がある。また、着信者にとっては、発信者の声を聞きたい要求がある。
【００１３】
また、ＣＳ呼が規制されているか否かに拘わらず、着信者の状態に応じた通知方法で、メッセージが通知されるのが好ましい。具体的には、着信者が障がい者である場合には、障がいに応じて、通信方法が切替えられるのが好ましい。通信方法によっては、メッセージが伝わらないことが想定されるからである。
【００１４】
本発明は、上記の点に鑑みてなされたものであり、着信者の状態に応じて、メッセージの通知方法を切替えることを目的とする。
【課題を解決するための手段】
【００１５】
上記の課題を解決するために、
サーバは、
ユーザの状態を表す情報を含む加入者情報を格納する記憶部と、
発信側のユーザ端末からのメッセージに基づいて、前記記憶部に格納された加入者情報から、着信側のユーザ端末に対応する加入者情報を取得し、前記メッセージの形式が着信側により認識できるかどうかを判定するメッセージ形式判定部と、
該メッセージ形式判定部により前記メッセージが前記着信側に認識できないと判定された場合、該着信側に認識できる形式に、前記メッセージを変換するメッセージ変換部と、
前記着信側に、前記メッセージ変換部により変換されたメッセージを送信する送信部と
を有する、サーバとして達成される。
【００１６】
前記メッセージ形式判定部は、着信側のユーザ端末に対応する加入者情報に基づいて、着信側により音声メッセージ及び文字メッセージの少なくとも一方を認識できるかどうかを判定する、ように構成してもよい。
【００１７】
前記メッセージ変換部は、文字メッセージに、該発信側から着信側への音声メッセージを変換し、
前記送信部は、パケット交換網を介して、前記メッセージ変換部により文字メッセージに変換された前記発信側から着信側への音声メッセージを送信する、ように構成してもよい。
【００１８】
前記発信側のユーザ端末からのメッセージから、発信側を識別するための情報を取得する発信者情報取得部と、
該発信者情報取得部により取得される発信側を識別するための情報に基づいて、音声メッセージに、前記文字メッセージを変換する際に利用する音声パラメータを設定する出力音声設定部と、
該出力音声設定部により設定された音声パラメータを利用して、音声メッセージに、前記文字メッセージを変換する音声メッセージ再生制御部と
を有し、
前記送信部は、前記音声メッセージ再生制御部により変換された音声メッセージを出力する、ように構成してもよい。
【００１９】
前記出力音声設定部は、前記発信側に対応する加入者情報に、該発信側の声を合成するための音声パラメータが登録されている場合には、該発信側の声を合成するための音声パラメータを設定する、ように構成してもよい。
【００２０】
所定の条件により、所定のカテゴリに、発信側を分類するための発信側分類テーブルと、
各カテゴリに分類される１又は複数の発信側により利用される再生用パラメータを含む音声パラメータテーブルと
を有し、
前記出力音声設定部は、発信側に対応する加入者情報に含まれる情報に基づいて、前記発信側分類テーブルから該発信側が分類されるカテゴリを特定し、前記音声パラメータテーブルから、該カテゴリに対応する音声パラメータを特定し、該音声パラメータを設定する、ように構成してもよい。
【００２１】
ユーザ端末は、
ユーザの状態を表す情報を含む電話帳を格納する記憶部と、
該記憶部に格納された電話帳から、着信側のユーザ端末のユーザに対応する電話帳を取得し、着信側へのメッセージの形式が着信側により認識できるかどうかを判定するメッセージ形式判定部と、
該メッセージ形式判定部により前記メッセージが前記着信側に認識できないと判定された場合、該着信側に認識できるメッセージの形式に、前記メッセージを変換するメッセージ変換部と
前記着信側に、前記メッセージ変換部により変換されたメッセージを送信する送信部と
を有する、ユーザ端末として達成される。
【００２２】
前記メッセージ形式判定部は、着信側のユーザ端末に対応する電話帳に基づいて、着信側により音声メッセージ及び文字メッセージの少なくとも一方を認識できるかどうかを判定する、ように構成してもよい。
【００２３】
前記メッセージ変換部は、文字メッセージに、該発信側から着信側への音声メッセージを変換し、
前記送信部は、パケット交換網を介して、前記メッセージ変換部により文字メッセージに変換された前記発信側から着信側への音声メッセージを送信する、ように構成してもよい。
【００２４】
前記発信側のユーザ端末からのメッセージから、発信側を識別するための情報を取得する発信者情報取得部と、
該発信者情報取得部により取得される発信側を識別するための情報に基づいて、音声メッセージに、前記文字メッセージを変換する際に利用する音声パラメータを設定する出力音声設定部と、
該出力音声設定部により設定された音声パラメータを利用して、音声メッセージに、前記文字メッセージを変換する音声メッセージ再生制御部と
を有し、
前記送信部は、前記音声メッセージ再生制御部により変換された音声メッセージを出力する、ように構成してもよい。
【００２５】
前記出力音声設定部は、当該ユーザ端末に、該発信側の声を合成するための音声パラメータが登録されている場合には、該発信側の声を合成するための音声パラメータを設定する、ように構成してもよい。
【００２６】
所定の条件により、所定のカテゴリに、発信側を分類するための発信側分類テーブルと、
各カテゴリに分類される１又は複数の発信側により利用される再生用パラメータを含む音声パラメータテーブルと
を有し、
前記出力音声設定部は、発信側に対応する加入者情報に含まれる情報に基づいて、前記発信側分類テーブルから該発信側が分類されるカテゴリを特定し、前記音声パラメータテーブルから、該カテゴリに対応する音声パラメータを特定し、該音声パラメータを設定する、ように構成してもよい。
【００２７】
また、上記サーバ、ユーザ端末が実行する通信方法として構成することもできる。
【発明の効果】
【００２８】
開示された実施例によれば、着信者の状態に応じて、メッセージの通知方法を切替えるための技術を提供することが可能となる。
【図面の簡単な説明】
【００２９】
【図１】無線通信システムの一実施例を示す図である。
【図２】ユーザ端末の一実施例を示す図である。
【図３】ユーザ端末の一実施例を示す機能ブロック図である。
【図４】サーバの一実施例を示す図である。
【図５】加入者情報の一実施例を示す機能ブロック図である。
【図６】発信者分類テーブルの一実施例を示す図である。
【図７】音声パラメータテーブルの一実施例を示す図である。
【図８】サーバの一実施例を示す機能ブロック図である。
【図９】無線通信システムの動作（その１）の一実施例を示すフローチャートである。
【図１０】無線通信システムの動作（その２）の一実施例を示すフローチャートである。
【図１１】サーバの動作の一実施例を示すフローチャートである。
【図１２】無線通信システムの一実施例を示す図である。
【図１３】ユーザ端末の一実施例を示す図である。
【図１４】ユーザ端末の一実施例を示す機能ブロック図である。
【図１５】無線通信システムの動作（その１）の一実施例を示すフローチャートである。
【図１６】無線通信システムの動作（その２）の一実施例を示すフローチャートである。
【図１７】ユーザ端末の動作の一実施例を示すフローチャートである。
【発明を実施するための形態】
【００３０】
以下、図面に基づいて、実施例を説明する。
なお、実施例を説明するための全図において、同一機能を有するものは同一符号を用い、繰り返しの説明は省略する。
【００３１】
＜実施例＞
＜無線通信システム＞
図１は、無線通信システムの一実施例を示す。
【００３２】
図１には、第１の無線通信システム（添え字「１」により表す）と、第２の無線通信システム（添え字「２」により表す）が示される。第１の無線通信システムにより無線通信を行うユーザ端末１００１から、第２の無線通信システムにより無線通信を行うユーザ端末１００２へ、ＣＳ回線に発呼することや、ＰＳ回線に発呼することが試みられる。具体的には、ＣＳ回線に発呼することにより音声呼の処理が行われ、ＰＳ回線に発呼することによりデータ通信が行われる。
【００３３】
第１の無線通信システムと、第２の無線通信システムは、同じ事業者により運営されてもよいし、異なる事業者により運営されてもよい。
【００３４】
ユーザ端末１００１、１００２は、ユーザが通信することができる適切な如何なる移動通信端末でもよく、例えば、携帯電話、情報端末、パーソナルディジタルアシスタント、携帯用パーソナルコンピュータ等が含まれるが、これらに限定されない。
【００３５】
無線通信システムは、主に無線アクセス制御を行う無線アクセスネットワーク（ＲＡＮ）（図示なし）と、移動管理、呼制御、サービス制御等を行うコアネットワーク（ＣＮ：  Ｃｏｒｅ  Ｎｅｔｗｏｒｋ）６００に分類される。
【００３６】
ＲＡＮには、無線基地局（ＢＴＳ：  Ｂａｓｅ  Ｔｒａｎｓｃｅｉｖｅｒ  Ｓｔａｔｉｏｎ）２００１（２００２）及び無線ネットワーク制御装置（ＲＮＣ：Ｒａｄｉｏ  Ｎｅｔｗｏｒｋ  Ｃｏｎｔｒｏｌｌｅｒ）３００１（３００２）が含まれる。
【００３７】
コアネットワーク６００は、回線交換（ＣＳ：  Ｃｉｒｃｕｉｔ  Ｓｗｉｔｃｈｅｄ）ドメイン、パケット交換（ＰＳ：  Ｐａｃｋｅｔ  Ｓｗｉｔｃｈｅｄ）ドメインから構成される。一般に、ＣＳドメインは音声系のサービスを提供し、ＰＳドメインはデータ通信系のサービスを提供する。
【００３８】
ユーザ端末１００１、１００２に対して各ドメインのサービスを提供するノードとして、加入者階梯交換機（図示なし）が含まれる。
【００３９】
ユーザ端末１００１、１００２に対して各ドメインのサービスを提供するノードとして、関門階梯交換機（図示なし）が含まれる。音声呼を処理する関門階梯交換機とパケット呼を処理する関門階梯交換機が存在する。同一の装置に実装されていてもよい。
【００４０】
図１に示される例では、加入者階梯交換機、関門階梯交換機は、交換機４００１（４００２）により表される。
【００４１】
交換機４００１（４００２）には、ファイルサーバ５００が接続される。ファイルサーバ５００は、主に、発信側のユーザ端末１００１によるメッセージの送信の際に利用される交換方式と、着信側のユーザ端末１００２のユーザの状況に応じて機能する。具体的には、発信側のユーザ端末１００１によるメッセージの送信の際に利用される交換方式には、ＣＳ方式と、ＰＳ方式とが含まれる。
【００４２】
ユーザ端末１００１は、ＣＳ回線により着信側のユーザ端末１００２へ音声メッセージを送信する。ＰＳ回線へのアクセス規制が実行されている場合に、ＣＳ回線により着信側のユーザ端末１００２へ音声メッセージが送信されてもよい。
【００４３】
ユーザ端末１００１は、ＰＳ回線により着信側のユーザ端末１００２へ文字メッセージを送信する。該文字メッセージは、電子メールに含まれてもよい。ＣＳ回線へのアクセス規制が実行されている場合に、ＰＳ回線により着信側のユーザ端末１００２への文字メッセージが送信されてもよい。
【００４４】
ＰＳ回線又はＣＳ回線へのアクセス規制は、セルへのアクセス規制が実行される場合、セル・交換機の両方へのアクセス規制が実行されている場合、交換機へのアクセス規制が実行されている場合のいずれかであってもよい。
【００４５】
発信側、すなわち第１の無線通信システムの基地局２００１によりカバーされるセル２５０１のＣＳ回線又はＰＳ回線へのアクセス規制が実行されている場合には、基地局２００１からアクセス規制に関する情報を含む報知情報が送信されるようにしてもよい。
【００４６】
基地局２００１に在圏するユーザ端末１００１に、ＰＳ回線により発呼する操作が行われ、且つＰＳ回線へのアクセス規制が実行されている場合には、発呼ができない。この場合、ユーザ端末１００１は、発信者に、ＣＳ回線により発呼することを促す。ユーザ端末１００１は、発信者による要求に応じて、ＣＳ回線により発呼する。ユーザ端末１００１が、ＣＳ回線により発呼することを促されることなく、ＣＳ回線により発呼した場合についても同様である。ユーザ端末１００１は、ユーザ端末１００２のユーザへの音声メッセージを送信する。該音声メッセージは、基地局２００１、ＲＮＣ３００１、交換機４００１を介して、ファイルサーバ５００に送信される。
【００４７】
ファイルサーバ５００は、交換機４００１から、音声メッセージを受信する。
【００４８】
ファイルサーバ５００は、該音声メッセージを伝えるべき着信者の加入者情報を参照し、該着信者が音声メッセージを認識することができるかどうかを判定する。着信者が音声メッセージを認識することができると判定した場合には、ファイルサーバ５００は、ＣＳ回線により、ユーザ端末１００２へ、音声メッセージを送信する。
【００４９】
着信者が音声メッセージを認識することができないと判定した場合には、ファイルサーバ５００は、テキストデータに、音声メッセージを変換する。以下、テキストデータに変換された音声メッセージを「テキストメッセージ」という。具体的には、ファイルサーバ５００は、音声認識することにより、テキストメッセージへ、音声メッセージを変換する。ファイルサーバ５００は、テキストメッセージをエンコードし、パケット化する。ファイルサーバ５００は、ＰＳ回線を介して、ユーザ端末１００２へ、パケット化されたテキストメッセージ（以下、「テキストメッセージパケット」という）を送信する。テキストメッセージパケットは、交換機４００２、ＲＮＣ３００２、ＢＴＳ２００２を介して、着信者のユーザ端末１００２へ送信される。
【００５０】
ユーザ端末１００２は、ファイルサーバ５００からのテキストメッセージパケットを受信する。ユーザ端末１００２は、テキストメッセージパケットをデコードすることにより、テキストメッセージへ変換する。ユーザ端末１００２は、テキストメッセージを出力する。
【００５１】
また、基地局２００１に在圏するユーザ端末１００１に、ＣＳ回線により発呼する操作が行われた場合、ＣＳ回線へのアクセス規制が実行されている場合には、発呼ができない。この場合、ユーザ端末１００１は、発信者に、ＰＳ回線により発呼することを促す。ユーザ端末１００１は、発信者による要求に応じて、ＰＳ回線により発呼する。ユーザ端末１００１が、ＰＳ回線により発呼することを促されることなく、ユーザ端末１００１が、ＰＳ回線により発呼した場合についても同様である。ユーザ端末１００１は、ユーザ端末１００２のユーザへの文字メッセージを送信する。該文字メッセージは、基地局２００１、ＲＮＣ３００１、交換機４００１を介して、ファイルサーバ５００に送信される。
【００５２】
ファイルサーバ５００は、交換機４００１から、文字メッセージを受信する。ファイルサーバ５００は、該文字メッセージを伝えるべき着信者の加入者情報を参照し、該着信者が文字メッセージを認識することができるかどうかを判定する。
【００５３】
着信者が文字メッセージを認識することができると判定した場合には、ファイルサーバ５００は、ＰＳ回線により、ユーザ端末１００２へ、文字メッセージを送信する。
【００５４】
着信者が文字メッセージを見ることができないと判定した場合には、ファイルサーバ５００は、音声メッセージに、文字メッセージを変換する。ファイルサーバ５００は、ＰＳ回線により、ユーザ端末１００２へ、音声メッセージに変換された文字メッセージを送信する。
【００５５】
＜ユーザ端末１００１＞
図２は、ユーザ端末１００１の一実施例を示す。図２には、主にハードウェア構成が示される。
【００５６】
ユーザ端末１００１は、入力部１０２と、出力部１０４と、通信制御部１０６と、無線部１０８と、記憶部１１０と、マイクロプロセッサ（ＭＰＵ：  Ｍｉｃｒｏ−Ｐｒｏｃｅｓｓｉｎｇ  Ｕｎｉｔ）１１２とを有する。各機能ブロックは、バス１５０により接続される。
【００５７】
ＭＰＵ１１２は、入力部１０２、出力部１０４、通信制御部１０６、無線部１０８、及び記憶部１１０の制御を行う。ＭＰＵ１１２は、記憶部１１０に記憶されたプログラムに従って機能し、所定の処理を行う。
【００５８】
記憶部１１０は、アプリケーションと、オペレーティングシステム（ＯＳ：  Ｏｐｅｒａｔｉｎｇ  Ｓｙｓｔｅｍ）とを有する。アプリケーションは、ユーザがユーザ端末１００１上で実行する作業を実施する機能を有するソフトウェアである。オペレーティングシステムは、ユーザ端末１００１において、ハードウェアを抽象化したインターフェースをアプリケーションソフトウェアに提供するソフトウェアである。
【００５９】
入力部１０２は、例えば、キーボードやマウスにより構成され、当該ユーザ端末１００１への指示や、データの入力を行うための装置である。また、タッチパネルにより構成されてもよい。また、入力部１０２は、例えば、マイクにより構成され、ユーザにより発せられた音声メッセージを入力する。該音声メッセージには、着信者へのメッセージや、当該ユーザ端末１００１への指示が含まれてもよい。該指示には、オペレーティングシステムに対するものや、アプリケーションに対するものが含まれる。
【００６０】
出力部１０４は、例えば、ディスプレイにより構成され、当該ユーザ端末１００１による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ（ＬＣＤ：  Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）ディスプレイ、プラズマディスプレイ（ＰＤＰ：  Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイなどが含まれる。
【００６１】
通信制御部１０６は、上りリンクの信号を送信するための制御を行う。ＣＳ網への上りリンクの信号、ＰＳ網への上りリンクの信号の両方を含む。また、通信制御部１０６は、無線部１０８により入力されるべき下りリンクの信号を受信するための制御を行う。ＣＳ網からの下りリンクの信号、ＰＳ網からの下りリンクの信号の両方を含む。
【００６２】
無線部１０８は、ＭＰＵ１１２による制御により、基地局２００１との間で、所定の無線通信方式により無線通信を行う。該無線通信方式には、ＧＳＭ（登録商標）、Ｗ−ＣＤＭＡが含まれる。また、ＬＴＥが含まれてもよい。例えば、通信制御部１０６により生成されるべき、上りリンクの信号を無線信号に変換して送信する。また、基地局２００１からの無線信号をベースバンド信号に変換する。
【００６３】
＜ユーザ端末１００１の機能＞
図３は、ユーザ端末１００１の一実施例を示す機能ブロック図である。図３には、記憶部１１０に格納されたプログラムに従って、ＭＰＵ１１２により実行される機能が主に示される。
【００６４】
ユーザ端末１００１は、規制状態判断部１１２２と、規制状態設定部１１２４と、発信判定部１１２６とを有する。
【００６５】
規制状態判断部１１２２は、通信制御部１０６と接続される。規制状態判断部１１２２には、通信制御部１０６から、当該ユーザ端末１００１により受信される報知情報が入力される。規制状態判断部１１２２は、該報知情報に含まれる規制情報に基づいて、当該ユーザ端末１００１に対してアクセス規制が実行されているかどうかを判断する。ＣＳ回線及びＰＳ回線のそれぞれについて判断されてもよい。具体的には、規制状態判断部１１２２は、報知情報に含まれる規制に関する情報（Ｓｙｓｔｅｍ  Ｉｎｆｏｒｍａｔｉｏｎ  Ｂｌｏｃｋ  Ｔｙｐｅ  ３）のアクセス不可情報（Ｃｅｌｌ  Ｂａｒｒｅｄ）、規制率情報（Ｃｅｌｌ  Ａｃｃｅｓｓ  Ｒｅｓｔｒｉｃｔｉｏｎ）に基づいて判断するようにしてもよい。アクセス不可情報及び規制率情報は、ＣＳ回線及びＰＳ回線のそれぞれについて用意されてもよい。規制状態判断部１１２２は、規制状態設定部１１２４に、規制状態の判断結果を表す情報を入力する。
【００６６】
規制状態設定部１１２４は、規制状態判断部１１２２と接続される。規制状態設定部１１２４は、規制状態判断部１１２２により入力される規制状態の判断結果を表す情報に従って、規制状態を設定する。
【００６７】
発信判定部１１２６は、入力部１０２、出力部１０４、通信制御部１０６、規制状態設定部１１２４と接続される。発信判定部１１２６には、入力部１０２から、ユーザによる操作に従って操作信号が入力される。発信判定部１１２６は、操作信号が入力された場合に、規制状態設定部１１２４に設定されるべき規制状態を参照し、操作信号により表される回線へのアクセス規制が実行されているかどうかを判定する。
【００６８】
発信判定部１１２６は、操作信号により表される回線へのアクセス規制が実行されていないと判定した場合、通信制御部１０６へ、アクセス規制が実行されていないことを通知する。また、発信判定部１１２６は、操作信号により表される回線へのアクセス規制が実行されていないと判定した場合、周期的に、該回線へのアクセス規制が実行されているかどうかを判定するようにしてもよい。
【００６９】
発信判定部１１２６は、操作信号により表される回線へのアクセス規制が実行されていると判定した場合、出力部１０４に、該回線へのアクセス規制が実行されていることを表す発信不可通知信号を入力する。出力部１０４は、発信判定部１１２６から発信不可通知信号が入力された場合に、ユーザに、発信ができないことを通知する。具体的には、発信ができないことを表示したり、音声ガイダンス等の音声により通知したりしてもよい。また、発信判定部１１２６は、操作信号により表される回線へのアクセス規制が実行されていると判定した場合、通信制御部１０６へ、アクセス規制が実行されていることを通知する。
【００７０】
＜ファイルサーバ＞
図４は、ファイルサーバ５００の一実施例を示す。図４には、主にハードウェア構成が示される。
【００７１】
ファイルサーバ５００は、通信部５０２と、ＭＰＵ５０４と、記憶部５０６と、通信制御部５０８とを有する。各機能ブロックは、バス５５０により接続される。記憶部５０６には、加入者情報５０６２と、発信者分類テーブル５０６４と、音声パラメータテーブル５０６６とが格納される。
【００７２】
ＭＰＵ５０４は、通信制御部５０８、通信部５０２、及び記憶部５０６の制御を行う。ＭＰＵ５０４は、記憶部５０６に記憶されたプログラムに従って機能し、所定の処理を行う。
【００７３】
記憶部５０６は、アプリケーションと、オペレーティングシステムとを有する。アプリケーションは、ユーザがファイルサーバ５００上で実行する作業を実施する機能を有するソフトウェアである。オペレーティングシステムは、ファイルサーバ５００において、ハードウェアを抽象化したインターフェースをアプリケーションソフトウェアに提供するソフトウェアである。
【００７４】
図５は、記憶部５０６に格納される加入者情報５０６２の一実施例を示す。
【００７５】
加入者情報５０６２には、予め登録される１又は複数のユーザに関する情報が含まれる。例えば、加入者情報５０６２には、１ユーザに関する情報として、氏名、電話番号、電子メールアドレス、生年月日、性別、状態フラグ、固有音声パラメータが登録されているかどうかを示す情報が含まれる。状態フラグは、加入者の状態を表す。具体的には、状態フラグは、加入者が認識できるメッセージの形式を表すフラグである。該メッセージに形式には、「０：制限なし」と、「１：電子メール（テキストを含む）」と、「音声」とが含まれる。「０：制限なし」は、加入者がどのような形式のメッセージでも認識できることを表す。「１：電子メール（テキストを含む）」は、加入者が電子メールの形式であれば認識できることを表す。「２：音声」は、加入者が音声の形式であれば認識できることを表す。例えば、加入者が視覚障がい者である場合には、電子メールを認識するのには困難が伴う。従って、加入者が視覚障がい者である場合には、状態フラグに、「２：音声」が指定されるのが好ましい。また、例えば、加入者が聴覚障がい者である場合には、音声メッセージを認識するのには困難が伴う。従って、加入者が聴覚障がい者である場合には、状態フラグに、「１：電子メール（テキストを含む）」が指定されるのが好ましい。
【００７６】
固有音声パラメータは、ユーザの音声を合成する際に利用される音声パラメータである。該音声パラメータを利用することにより、該ユーザの音声を合成することができる。
【００７７】
図５に示される例では、１ユーザに関する情報として、氏名「ＡＡＡ」、電話番号「０９０−１２３４−５６７８」、電子メールアドレス「○○○＠ＸＸＸ．ｎｅ．ｊｐ」、生年月日「△△△△年□□月ＹＹ日」、性別「男」、状態フラグ「１：電子メール（テキストを含む）」、固有音声パラメータ「無」が含まれる。固有音声パラメータ「無」は、固有音声パラメータが登録されていないことを表す。加入者情報５０６２に、図５に示される情報のうち、一部の情報が含まれてもよいし、他の情報が含まれてもよい。
【００７８】
図６は、記憶部５０６に格納される発信者分類テーブル５０６４の一実施例を示す。
【００７９】
発信者分類テーブル５０６４には、所定の条件により、複数のカテゴリに、発信者を分類するための情報が含まれる。具体的には、発信者を分類するための所定の条件には、発信者が「男性」であるか「女性」であるか、さらに、発信者が「子ども」、「大人」、「壮年」のいずれかであるか等が含まれる。図６に示される所定の条件は一例であり、適宜条件の設定が可能である。発信者分類テーブル５０６４は、主に、電話帳に含まれる情報のうち、「固有音声パラメータ」が「無」である場合に利用される。発信者分類テーブル５０６４により、発信者が「Ａ」、「Ｂ」、「Ｃ」、「Ｄ」、「Ｅ」、及び「Ｆ」のいずれかに分類される。発信者分類テーブル５０６４は、音声メッセージに、ユーザ端末１００１からの電子メールに含まれるメッセージを変換する際に利用される。
【００８０】
図７は、記憶部５０６に格納される音声パラメータテーブル５０６６の一実施例を示す。
【００８１】
音声パラメータテーブル５０６６には、発信者分類リスト５０６４により分類されるカテゴリ毎に、音声メッセージに、ユーザ端末１００１からの電子メールに含まれるメッセージを変換する際に利用される再生用パラメータが含まれる。再生用パラメータには、基本周波数Ｆ０、再生速度、抑揚、アクセント音調が含まれる。これらは一例であり、これらのうちの一部のパラメータが利用されてもよいし、これら以外のパラメータが利用されてもよい。
【００８２】
具体的には、発信者が「男性」、「子ども」に該当する発信者識別子「Ａ」である場合には、再生用パラメータとして「基本周波数Ｆ０」がＸＨｚ、「再生速度」が１．５倍、「抑揚」が変動大、「アクセント音調」がセット１に設定される。該再生用パラメータを利用して音声が合成されることにより、男の子の音声を合成できる。
【００８３】
同様に、発信者が「男性」、「大人」に該当する発信者識別子「Ｂ」である場合には、再生用パラメータとして「基本周波数Ｆ０」がＹＨｚ、「再生速度」が１．０倍、「抑揚」が変動中、「アクセント音調」がセット２に設定される。該再生用パラメータを利用して音声が合成されることにより、大人の男性の音声を合成できる。
【００８４】
同様に、発信者が「男性」、「壮年」に該当する発信者識別子「Ｃ」である場合には、再生用パラメータとして「基本周波数Ｆ０」がＺＨｚ、「再生速度」が０．６倍、「抑揚」が変動無し、「アクセント音調」がセット３に設定される。該再生用パラメータを利用して音声が合成されることにより、壮年の男性の音声を合成できる。
【００８５】
ここで、アクセント音調に関して、「セット１」−「セット３」により、アクセントと、音調との組み合わせが予め設定されてもよい。また、アクセントと、音調に関して個別に設定されてもよい。
【００８６】
通信制御部５０８は、当該ファイルサーバ５００と、交換機４００１及び４００２との間で送受信されるデータを生成し、また、交換機４００１及び４００２により送信されたデータを解析する。
【００８７】
通信部５０２は、ＭＰＵ５０４による制御により、交換機４００１、及び４００２との間で、通信を行う。
【００８８】
＜ファイルサーバの機能＞
図８は、ファイルサーバ５００を示す機能ブロック図である。図８には、記憶部５０６に格納されたプログラムに従って、ＭＰＵ５０４により実行される機能が主に示される。
【００８９】
ファイルサーバ５００は、メッセージ形式判定部５０４２と、音声メッセージ変換部５０４４と、発信者情報取得部５０４６と、出力音声設定部５０４８と、メッセージ変換部５０５０とを有する。
【００９０】
メッセージ形式判定部５０４２は、通信制御部５０８と、記憶部５０６と接続される。メッセージ形式判定部５０４２には、通信制御部５０８から、ユーザ端末１００１からのメッセージが入力される。文字メッセージであってもよいし、音声メッセージであってもよい。メッセージ形式判定部５０４２は、記憶部５０６に格納された加入者情報５０６２に含まれる状態フラグを参照し、ユーザ端末１００１からのメッセージが、着信者により認識できる形式であるかどうかを判定する。具体的には、ユーザ端末１００１からのメッセージが音声メッセージである場合には、該音声メッセージの着信側の加入者情報の状態フラグが「０：制限なし」、及び「２：音声」である場合には、着信者により認識できると判断される。ユーザ端末１００１からのメッセージが電子メールである場合には、該音声メッセージの着信側の加入者情報の状態フラグが「０：制限なし」、及び「１：電子メール（テキストを含む）」である場合には、着信者により認識できると判断される。
【００９１】
メッセージ形式判定部５０４２は、ユーザ端末１００１からのメッセージが、着信者により認識できる形式であると判定した場合には、該メッセージを通信制御部５０８に入力する。通信制御部５０８は、着信者に、メッセージ形式判定部５０４２からのメッセージを送信するための制御を行う。
【００９２】
メッセージ形式判定部５０４２は、ユーザ端末１００１からのメッセージが着信者により認識できる形式でないと判定した場合には、該メッセージが音声メッセージである場合には音声メッセージ変換部５０４４に入力する。該メッセージが電子メールである場合には発信者情報取得部５０４６に入力する。
【００９３】
音声メッセージ変換部５０４４は、通信制御部５０８と、記憶部５０６と、メッセージ形式判定部５０４２と接続される。音声メッセージ変換部５０４４は、メッセージ形式判定部５０４２から音声メッセージが入力された場合に、該音声メッセージの形式を変換する。具体的には、音声メッセージ変換部５０４４は、テキストメッセージに、メッセージ形式判定部５０４２からの音声メッセージを変換する。音声メッセージ変換部５０４４は、メッセージ形式判定部５０４２からの音声メッセージを音声認識することにより、テキストメッセージへ変換する。音声メッセージ変換部５０４４は、テキストメッセージをエンコードし、パケット化する。音声メッセージ変換部５０４４は、通信制御部５０８へ、テキストメッセージパケットを入力する。通信制御部１０６は、ＰＳ回線を介して、音声メッセージ変換部５０４４からのテキストメッセージパケットを送信する制御を行う。
【００９４】
発信者情報取得部５０４６は、メッセージ形式判定部５０４２と、記憶部５０６と接続される。発信者情報取得部５０４６には、メッセージ形式判定部５０４２から電子メールが入力される。該電子メールは、文字メッセージを含むものであってもよい。発信者情報取得部５０４６は、電子メールに含まれる発信者を表す情報を取得する。具体的には、発信者情報取得部５０４６は、発信側のユーザ端末１００１の識別子を取得する。発信者情報取得部５０４６は、記憶部５０６に格納された加入者情報５０６２から、発信側のユーザ端末１００１に対応する加入者情報を取得する。発信者情報取得部５０４６は、出力音声設定部５０４８へ、発信側のユーザ端末１００１に対応する加入者情報と、電子メールを入力する。
【００９５】
出力音声設定部５０４８は、発信者情報取得部５０４６と、記憶部５０６と接続される。出力音声設定部５０４８は、発信者情報取得部５０４６からの発信側のユーザ端末１００１に対応する加入者情報に、固有音声パラメータが登録されているかどうかを判定する。固有音声パラメータが登録されていると判定された場合、出力音声設定部５０４８は、メッセージ変換部５０５０に、該固有音声パラメータを表す情報と、電子メールとを入力する。
【００９６】
固有音声パラメータが登録されていないと判定された場合、出力音声設定部５０４８は、記憶部５０６に格納された発信者分類テーブル５０６４を参照し、発信側のユーザ端末１００１に対応する加入者情報に含まれる情報に基づいて、発信者が分類されるカテゴリを表す発信者識別子を取得する。出力音声設定部５０４８は、記憶部５０６に格納された音声パラメータテーブル５０６６から、発信者識別子に対応する再生パラメータを取得する。出力音声設定部５０４８は、メッセージ変換部５０５０に、該再生パラメータを表す情報と、電子メールとを入力する。
【００９７】
メッセージ変換部５０５０は、通信制御部５０８と、出力音声設定部５０４８と接続される。メッセージ変換部５０５０には、出力音声設定部５０４８から、電子メールと、固有音声パラメータを表す情報又は再生用パラメータを表す情報とが入力される。メッセージ変換部５０５０は、音声メッセージに、電子メールに含まれる文字メッセージを変換する。音声テキストデータを変換する際に、メッセージ変換部５０５０は、固有音声パラメータ又は再生用パラメータを利用する。メッセージ変換部５０５０は、通信制御部５０８に、音声メッセージを入力する。通信制御部５０８は、メッセージ変換部５０５０からの音声メッセージをパケット化し、ユーザ端末１００２に送信する制御を行う。
【００９８】
＜無線通信システムの動作（その１）＞
図９は、無線通信システムの動作の一実施例を示す。
【００９９】
図９に示される例では、ユーザ端末１００１からＣＳ回線を介して、音声メッセージが送信される。着信側のユーザ端末１００２のユーザは音声メッセージを認識できないため、ファールサーバ５００により、テキストメッセージに、音声メッセージが変換される。
【０１００】
ユーザ端末１００１は、ユーザにより指定された変換方式による発信が、規制されているかどうかを判定する（ステップＳ９０２）。つまり、発信判定部１１２６は、ユーザによる操作により入力される操作信号に従って、規制状態設定部１１２４に設定される規制状態を参照し、該操作信号により表される回線へのアクセス規制が実行されているかどうかを判定する。ここでは、ユーザによりＣＳ回線を介して音声メッセージを送信する操作が行われる。ＣＳ回線は規制されていない。
【０１０１】
ユーザ端末１００１は、ＣＳ回線を介して、音声メッセージを送信する（ステップＳ９０４）。つまり、送信制御部１０６により、音声メッセージを送信する制御が行われる。
【０１０２】
ファイルサーバ５００は、ユーザ端末１００１からの音声メッセージの形式を判定する（ステップＳ９０６）。つまり、メッセージ形式判定部５０４２は、記憶部５０６に格納された加入者情報５０６２に含まれる状態フラグを参照し、ユーザ端末１００１からの音声メッセージが、着信者（側）により認識できる形式であるかどうかを判定する。ここでは、記憶部５０６に格納されたユーザ端末１００２の加入者情報の状態フラグは「１：電子メール（テキストを含む）」に設定されている。従って、ファイルサーバ５００は、ユーザ端末１００１からの音声メッセージが、着信者（側）により認識できる形式でないと判定する。
【０１０３】
ファイルサーバ５００は、テキストメッセージへ、音声メッセージを変換する（ステップＳ９０８）。つまり、音声メッセージ変換部５０４４は、テキストメッセージへ、音声メッセージを変換する。音声メッセージ変換部５０４４は、テキストメッセージをエンコードし、パケット化する。音声メッセージ変換部５０４４は、通信制御部５０８へ、テキストメッセージパケットを入力する。ここで、音声メッセージ変換部５０４４は、ユーザ端末１００１へ、該ユーザ端末１００１からの音声メッセージがテキストメッセージへ変換されたことを通知するようにしてもよい。ユーザ端末１００１は、ファイルサーバ５００からの通知により、片方向の通信であることを把握できる。
【０１０４】
通信制御部１０６は、ＰＳ回線を介して、音声メッセージ変換部５０４４からのテキストメッセージパケットを送信する制御を行う。
【０１０５】
ファイルサーバ５００は、ユーザ端末１００２へ、テキストメッセージパケットを送信する（ステップＳ９１０）。つまり、通信制御部１０６による制御により、ユーザ端末１００２へ、テキストメッセージパケットが送信される。
【０１０６】
＜無線通信システムの動作（その２）＞
図１０は、無線通信システムの動作の一実施例を示す。
【０１０７】
図１０に示される例では、ユーザ端末１００１からＰＳ回線を介して、電子メールが送信される。該電子メールには、文字メッセージが含まれる。着信側のユーザ端末１００２のユーザは電子メールに含まれるメッセージを認識できないため、ファールサーバ５００により、音声メッセージに、電子メールに含まれる文字メッセージが変換される。
【０１０８】
ユーザ端末１００１は、ユーザにより指定された変換方式による発信が、規制されているかどうかを判定する（ステップＳ１００２）。つまり、発信判定部１１２６は、ユーザによる操作より入力される操作信号に従って、規制状態設定部１１２４に設定される規制状態を参照し、該操作信号により表される回線へのアクセス規制が実行されているかどうかを判定する。ここでは、ユーザによりＰＳ回線を介して電子メールを送信する操作が行われる。ＰＳ回線は規制されていない。
【０１０９】
ユーザ端末１００１は、ＰＳ回線を介して、電子メールを送信する（ステップＳ１００４）。つまり、送信制御部１０６により、電子メールを送信する制御が行われる。
【０１１０】
ファイルサーバ５００は、ユーザ端末１００１からの文字メッセージの形式を判定する（ステップＳ１００６）。つまり、メッセージ形式判定部５０４２は、記憶部５０６に格納された加入者情報５０６２に含まれる状態フラグを参照し、ユーザ端末１００１からの文字メッセージが、着信者（側）により認識できる形式であるかどうかを判定する。ここでは、記憶部５０６に格納されたユーザ端末１００２の加入者情報の状態フラグは「２：音声」に設定されている。従って、ファイルサーバ５００は、ユーザ端末１００１からの文字メッセージが、着信者（側）により認識できる形式でないと判定する。
【０１１１】
ファイルサーバ５００は、発信者の情報を取得する（ステップＳ１００８）。つまり、発信者情報取得部５０４６は、電子メールに含まれる発信者の識別子に基づいて、記憶部５０６に格納される加入者情報５０６２から、発信者に対応するものを取得する。
【０１１２】
ファイルサーバ５００は、音声メッセージに、文字メッセージを変換する（ステップＳ１０１０）。
【０１１３】
ファイルサーバ５００は、ユーザ端末１００２へ、音声メッセージを送信する（ステップＳ１０１２）。つまり、通信制御部１０６による制御により、ユーザ端末１００２へ、音声メッセージが送信される。
【０１１４】
図１１は、ファイルサーバ５００が、音声メッセージに、文字メッセージを変換する処理の一実施例を示す。つまり、図１１は、ステップＳ１０１０の処理の一実施例を示す。
【０１１５】
ファイルサーバ５００は、発信者の固有音声パラメータが登録されているかどうかを判定する（ステップＳ１１０２）。つまり、出力音声設定部５０４８は、発信者情報取得部５０４６からの加入者情報に、発信者の固有音声パラメータが含まれるかどうかを判定する。
【０１１６】
発信者情報取得部５０４６からの加入者情報に、発信者の固有音声パラメータが含まれると判定された場合（ステップＳ１１０２：ＹＥＳ）、ファイルサーバ５００は、固有音声パラメータを利用して、音声メッセージに、文字メッセージを変換する（ステップＳ１１０４）。つまり、メッセージ変換部５０５０は、固有音声パラメータを利用して、音声メッセージに、文字メッセージを変換する制御を行う。
【０１１７】
発信者情報取得部５０４６からの加入者情報に、発信者の固有音声パラメータが含まれないと判定された場合（ステップＳ１１０２：ＮＯ）、ファイルサーバ５００は、発信者に対応する加入者情報に含まれる情報に基づいて、発信者分類テーブル５０６４から、発信者が分類されるカテゴリを表す発信者識別子を取得する（ステップＳ１１０６）。つまり、出力音声設定部５０４８は、発信者に対応する加入者情報に含まれる情報に基づいて、発信者分類テーブル５０６４から、発信者が分類されるカテゴリを表す発信者識別子を取得する。
【０１１８】
ファイルサーバ５００は、音声パラメータ５０６６から、発信者識別子に対応する再生用パラメータを取得する（ステップＳ１１０８）。つまり、出力音声設定部５０４８は、音声パラメータテーブル５０６６から、発信者識別子に対応する再生パラメータを取得する。
【０１１９】
ファイルサーバ５００は、再生用パラメータを利用して、音声メッセージに、文字メッセージを変換する（ステップＳ１１１０）。つまり、メッセージ変換部５０５０は、再生用パラメータを利用して、音声メッセージに、メッセージを変換する制御を行う。
【０１２０】
本実施例によれば、ファイルサーバは、着信者（側）の状態に応じて、着信者（側）により認識できる形式で、発信者（側）からのメッセージを送信できる。具体的には、ファイルサーバは、着信者（側）が文字メッセージを認識できない場合には、音声メッセージに、文字メッセージを変換して送信する。ファイルサーバは、着信者（側）が音声メッセージを認識できない場合には、文字メッセージに、音声メッセージを変換して送信する。
【０１２１】
また、音声メッセージに、文字メッセージを変換する際に、ファイルサーバは、予め登録される発信者（側）の固有音声パラメータを利用して、発信者（側）の声を合成することができる。また、発信者（側）の固有音声パラメータが登録されていない場合でも、発信者（側）の特徴に応じた声を合成できる。
【０１２２】
着信者（側）の状態に応じて、テキストデータに変換された音声メッセージを送信できるため、ネットワークの負荷を軽減できる。また、発信者（側）の声や、発信者（側）の特徴に応じた声により出力できるため、着信者（側）に与える違和感を低減できる。
【０１２３】
＜変形例＞
＜無線通信システム＞
図１２は、無線通信システムの一変形例を示す。
【０１２４】
無線通信システムの一変形例は、図１を参照して説明した無線通信システムにおいて、ファイルサーバが省略されたものである。
【０１２５】
第１の無線通信システムにより無線通信を行うユーザ端末１００１から、第２の無線通信システムにより無線通信を行うユーザ端末１００２へ、ＣＳ回線に発呼することや、ＰＳ回線に発呼することが試みられる。具体的には、ＣＳ回線に発呼することにより音声呼の処理が行われ、ＰＳ回線に発呼することによりデータ通信が行われる。
【０１２６】
発信側のユーザ端末１００１は、該発信側のユーザ端末１００１によるメッセージの送信の際に利用される交換方式と、着信側のユーザ端末１００２のユーザの状況に応じて、テキストメッセージパケット又は音声メッセージパケットを送信する。
【０１２７】
ユーザ端末１００１は、ＰＳ回線により着信側のユーザ端末１００２へ音声メッセージを送信する処理を行う。ＣＳ回線へのアクセス規制が実行されている場合に、ＰＳ回線により着信側のユーザ端末１００２へ音声メッセージが送信される処理が行われてもよい。
【０１２８】
ユーザ端末１００１は、音声メッセージを送信する処理を行う際、音声メッセージを伝えるべき着信者の加入者情報を参照し、該着信者が音声メッセージを認識することができるかどうかを判定する。着信者が音声メッセージを認識することができると判定した場合には、ユーザ端末１００１は、ＰＳ回線により、ユーザ端末１００２へ、音声メッセージを送信するようにしてもよい。
【０１２９】
着信者が音声メッセージを認識することができないと判定した場合には、ユーザ端末１００１は、文字メッセージに、音声メッセージを変換する。具体的には、ユーザ端末１００１は、音声認識することにより、文字メッセージへ、音声メッセージを変換する。ユーザ端末１００１は、文字メッセージをエンコードし、パケット化する。ユーザ端末１００１は、ＰＳ回線を介して、ユーザ端末１００２へ、文字メッセージを送信する。文字メッセージは、ＲＮＣ３００１、交換機４００１、交換機４００２、ＲＮＣ３００２、ＢＴＳ２００２を介して、着信者のユーザ端末１００２へ送信される。
【０１３０】
ユーザ端末１００２は、ユーザ端末１００１からの文字メッセージを受信する。ユーザ端末１００２は、文字メッセージをデコードすることにより、テキストメッセージへ変換する。ユーザ端末１００２は、テキストメッセージを出力する。
【０１３１】
また、ユーザ端末１００１は、ＰＳ回線により着信側のユーザ端末１００２へ文字メッセージを送信する処理を行う。該文字メッセージは、電子メールに含まれてもよい。ＣＳ回線へのアクセス規制が実行されている場合に、ＰＳ回線により着信側のユーザ端末１００２への文字メッセージが送信される処理が行われてもよい。
【０１３２】
ユーザ端末１００１は、文字メッセージを送信する処理を行う際、該文字メッセージを伝えるべき着信者の加入者情報を参照し、該着信者が文字メッセージを認識することができるかどうかを判定する。
【０１３３】
着信者が文字メッセージを認識することができると判定した場合には、ユーザ端末１００１は、ＰＳ回線により、ユーザ端末１００２へ、文字メッセージを送信する。
【０１３４】
着信者が文字メッセージを認識することができないと判定した場合には、ユーザ端末１００１は、音声メッセージに、文字メッセージを変換する。ユーザ端末１００１は、ＰＳ回線により、ユーザ端末１００２へ、音声メッセージに変換された文字メッセージを送信する。
【０１３５】
音声メッセージへ、文字メッセージを変換する際に、ユーザ端末１００１は、音声メッセージを出力する音声を決定する。具体的には、ユーザ端末１００１は、当該ユーザ端末１００１のユーザに対応する電話帳を参照し、固有の音声パラメータが登録されている場合には、該固有の音声パラメータを利用して発信者の音声を合成する。固有の音声パラメータが登録されていない場合には、該電話帳に含まれる情報に基づいて、該発信者の特徴に応じた音声を合成できる音声パラメータを利用して、音声を合成する。該音声は、パケット化され、ユーザ端末１００２に送信される。
【０１３６】
＜ユーザ端末１００１＞
図１３は、ユーザ端末１００１の一実施例を示す。図１３には、主にハードウェア構成が示される。図１に示されるユーザ端末１００１と、記憶部１１０に格納される情報が異なる。
【０１３７】
記憶部１１０には、電話帳１１０２と、発信者分類テーブル１１０４と、音声パラメータテーブル１１０６とが格納される。
【０１３８】
電話帳１１０２には、図５を参照して説明した加入者情報と略同一の情報が含まれる。
【０１３９】
電話帳１１０２には、予め登録される１又は複数のユーザに関する情報が含まれる。例えば、電話帳１１０２には、１ユーザに関する情報として、氏名、電話番号、電子メールアドレス、生年月日、性別、状態フラグ、固有音声パラメータが登録されているかどうかを示す情報が含まれる。
【０１４０】
発信者分類テーブル１１０４には、図６を参照して説明した発信者分類テーブルと略同一の情報が含まれる。
【０１４１】
発信者分類テーブル１１０４には、所定の条件により、複数のカテゴリに、発信者を分類するための情報が含まれる。具体的には、発信者を分類するための所定の条件には、発信者が「男性」であるか「女性」であるか、さらに、発信者が「子ども」、「大人」、「壮年」のいずれかであるか等が含まれる。図６に示される所定の条件は一例であり、適宜条件の設定が可能である。発信者分類テーブル１１０４は、主に、電話帳に含まれる情報のうち、「固有音声パラメータ」が「無」である場合に利用される。発信者分類テーブル１１０４により、発信者が「Ａ」、「Ｂ」、「Ｃ」、「Ｄ」、「Ｅ」、及び「Ｆ」のいずれかに分類される。発信者分類テーブル１１０４は、音声メッセージに、ユーザ端末１００１からの文字メッセージを変換する際に利用される。
【０１４２】
音声パラメータテーブル１１０６には、図７を参照して説明した音声パラメータテーブルと略同一の情報が含まれる。
【０１４３】
音声パラメータテーブル１１０６には、発信者分類リスト１１０４により分類されるカテゴリ毎に、音声メッセージに、ユーザ端末１００１からの文字メッセージを変換する際に利用される再生用パラメータが含まれる。再生用パラメータには、基本周波数Ｆ０、再生速度、抑揚、アクセント音調が含まれる。これらは一例であり、これらのうちの一部のパラメータが利用されてもよいし、これら以外のパラメータが利用されてもよい。
【０１４４】
＜ユーザ端末１００１の機能＞
図１４は、ユーザ端末１００１を示す機能ブロック図である。図１４には、記憶部１１０に格納されたプログラムに従って、ＭＰＵ１１２により実行される機能が主に示される。
【０１４５】
ユーザ端末１００１は、規制状態判断部１１２２と、規制状態設定部１１２４と、発信判定部１１２６と、メッセージ形式判定部１１２８と、音声メッセージ変換部１１３０と、発信者情報取得部１１３２と、出力音声設定部１１３４と、メッセージ変換部１１３６とを有する。
【０１４６】
規制状態判断部１１２２は、通信制御部１０６と接続される。規制状態判断部１１２２には、通信制御部１０６から、当該ユーザ端末１００１により受信されるべき報知情報が入力される。規制状態判断部１１２２は、該報知情報に含まれる規制情報に基づいて、当該ユーザ端末１００１に対してアクセス規制が実行されているかどうかを判断する。ＣＳ回線及びＰＳ回線のそれぞれについて判断されてもよい。具体的には、規制状態判断部１１２２は、報知情報に含まれる規制に関する情報のアクセス不可情報、規制率情報に基づいて判断するようにしてもよい。アクセス不可情報及び規制率情報は、ＣＳ回線及びＰＳ回線のそれぞれについて用意されてもよい。規制状態判断部１１２２は、規制状態設定部１１２４に、規制状態の判断結果を表す情報を入力する。
【０１４７】
規制状態設定部１１２４は、規制状態判断部１１２２と接続される。規制状態設定部１１２４は、規制状態判断部１１２２により入力される規制状態の判断結果を表す情報に従って、規制状態を設定する。
【０１４８】
発信判定部１１２６は、入力部１０２、出力部１０４、規制状態設定部１１２４と接続される。発信判定部１１２６には、入力部１０２から、ユーザによる操作に従って操作信号が入力される。発信判定部１１２６は、操作信号が入力された場合に、規制状態設定部１１２４に設定される規制状態を参照し、操作信号により表される回線へのアクセス規制が実行されているかどうかを判定する。
【０１４９】
発信判定部１１２６は、操作信号により表される回線へのアクセス規制が実行されていないと判定した場合、メッセージ形式判定部１１２８へ、アクセス規制が実行されていないことを通知する。また、発信判定部１１２６は、操作信号により表される回線へのアクセス規制が実行されていないと判定した場合、周期的に、該回線へのアクセス規制が実行されているかどうかを判定するようにしてもよい。
【０１５０】
発信判定部１１２６は、操作信号により表される回線へのアクセス規制が実行されていると判定した場合、出力部１０４に、該回線へのアクセス規制が実行されていることを表す発信不可通知信号を入力する。出力部１０４は、発信判定部１１２６から発信不可通知信号が入力された場合に、ユーザに、発信ができないことを通知する。具体的には、発信ができないことを表示したり、音声ガイダンスにより音声により通知したりしてもよい。また、発信判定部１１２６は、操作信号により表される回線へのアクセス規制が実行されていると判定した場合、メッセージ形式判定部１１２８へ、アクセス規制が実行されていることを通知する。
【０１５１】
メッセージ形式判定部１１２８は、通信制御部１０６と、記憶部１１０と接続される。メッセージ形式判定部１１２８には、通信制御部１０６から、ユーザ端末１００２に送信するメッセージが入力される。該メッセージは、音声メッセージであってもよいし、文字メッセージであってもよい。メッセージ形式判定部１１２８は、記憶部１１０に格納された電話帳１１０２に含まれる状態フラグを参照し、ユーザ端末１００２に送信するメッセージが、該ユーザ端末１００２の着信者により認識できる形式であるかどうかを判定する。具体的には、ユーザ端末１００２に送信するメッセージが音声メッセージである場合には、状態フラグが「０：制限なし」、及び「２：音声」である場合に、着信者により認識できると判断される。ユーザ端末１００２に送信するメッセージが電子メールである場合には、状態フラグが「０：制限なし」、及び「１：電子メール（テキストを含む）」である場合に、着信者により認識できると判断される。
【０１５２】
メッセージ形式判定部１１２８は、ユーザ端末１００２に送信するメッセージが、着信者により認識できる形式であると判定した場合には、通信制御部１０６に、該メッセージを入力する。通信制御部１０６は、着信者に、メッセージ形式判定部１１２８からのメッセージを送信するための制御を行う。
【０１５３】
メッセージ形式判定部１１２８は、ユーザ端末１００２に送信するメッセージが着信者により認識できる形式でないと判定した場合には、該メッセージが音声メッセージである場合には音声メッセージ変換部１１３０に入力する。該メッセージが電子メールである場合には発信者情報取得部１１３４に入力する。
【０１５４】
音声メッセージ変換部１１３０は、通信制御部１０６と、記憶部１１０と、メッセージ形式判定部１１２８と接続される。音声メッセージ変換部１１３０は、メッセージ形式判定部１１２８から音声メッセージが入力された場合に、該音声メッセージの形式を変換する。具体的には、音声メッセージ変換部１１３０は、テキストメッセージに、メッセージ形式判定部１１２８からの音声メッセージを変換する。音声メッセージ変換部１１３０は、メッセージ形式判定部１１２８からの音声メッセージを音声認識することにより、テキストメッセージへ変換する。音声メッセージ変換部１１３０は、テキストメッセージをエンコードし、パケット化する。音声メッセージ変換部１１３０は、通信制御部１０６へ、テキストメッセージパケットを入力する。通信制御部１０６は、ＰＳ回線を介して、音声メッセージ変換部１１３０からのテキストメッセージパケットを送信する制御を行う。
【０１５５】
発信者情報取得部１１３２は、メッセージ形式判定部１１２８と、記憶部１１０と接続される。発信者情報取得部１１３２には、メッセージ形式判定部１１２８から電子メールが入力される。発信者情報取得部１１３２は、電子メールに含まれる発信者を表す情報を取得する。具体的には、発信者情報取得部１１３２は、発信側のユーザ端末１００１の識別子を取得する。発信者情報取得部１１３２は、記憶部１１０に格納された電話帳１１０２から、発信側のユーザ端末１００１に対応する電話帳を取得する。発信者情報取得部１１３２は、出力音声設定部１１３４へ、発信側のユーザ端末１００１に対応する加入者情報と、電子メールとを入力する。
【０１５６】
出力音声設定部１１３４は、発信者情報取得部１１３２と、記憶部１１０と接続される。出力音声設定部１１３４は、発信者情報取得部１１３２からの発信側のユーザ端末１００１に対応する電話帳に、固有音声パラメータが登録されているかどうかを判定する。固有音声パラメータが登録されていると判定された場合、出力音声設定部１１３４は、メッセージ変換部１１３６に、該固有音声パラメータを表す情報と、電子メールとを入力する。固有音声パラメータが登録されていないと判定された場合、出力音声設定部１１３４は、記憶部１１０に格納された発信者分類テーブル１１０４を参照し、発信側のユーザ端末１００１に対応する電話帳に含まれる情報に基づいて、発信者が分類されるカテゴリを表す発信者識別子を取得する。出力音声設定部１１３４は、記憶部１１０に格納された音声パラメータテーブル１１０６から、発信者識別子に対応する再生パラメータを取得する。出力音声設定部１１３４は、メッセージ変換部１１３６に、該再生パラメータを表す情報と、電子メールとを入力する。
【０１５７】
メッセージ変換部１１３６は、通信制御部１０６と、出力音声設定部１１３４と接続される。メッセージ変換部１１３６には、出力音声設定部１１３４から、電子メールと、固有音声パラメータを表す情報又は再生用パラメータを表す情報が入力される。メッセージ変換部１１３６は、音声メッセージに、電子メールに含まれる文字メッセージを変換する。音声テキストデータを変換する際に、メッセージ変換部１１３６は、固有音声パラメータ又は再生用パラメータを利用する。メッセージ変換部１１３６は、通信制御部１０６に、音声メッセージを入力する。通信制御部１０６は、メッセージ変換部１１３６からの音声メッセージをパケット化し、ユーザ端末１００２に送信する制御を行う。
【０１５８】
＜無線通信システムの動作（その１）＞
図１５は、無線通信システムの動作の一実施例を示す。図１５には、主に、ユーザ端末１００１の動作が示される。
【０１５９】
図１５に示される例では、ユーザ端末１００１に、ＰＳ回線を介して、音声メッセージを送信する操作が行われる。着信側のユーザ端末１００２のユーザは音声メッセージを認識できないため、ユーザ端末１００１により、テキストメッセージに、音声メッセージが変換される。
【０１６０】
ユーザ端末１００１は、ユーザにより指定された変換方式による発信が、規制されているかどうかを判定する（ステップＳ１５０２）。つまり、発信判定部１１２６は、ユーザによる操作により入力される操作信号に従って、規制状態設定部１１２４に設定される規制状態を参照し、該操作信号により表される回線へのアクセス規制が実行されているかどうかを判定する。ここでは、ユーザによりＰＳ回線を介して音声メッセージを送信する操作が行われる。ＰＳ回線は規制されていない。
【０１６１】
ユーザ端末１００１は、ユーザ端末１００２へのメッセージの形式を判定する（ステップＳ１５０４）。つまり、メッセージ形式判定部１１２８は、記憶部１１０に格納された電話帳１１０２に含まれる状態フラグを参照し、ユーザ端末１００２へのメッセージが、着信者により認識できる形式であるかどうかを判定する。ここでは、記憶部１１０に格納されたユーザ端末１００２のユーザの電話帳の状態フラグは「１：電子メール（テキストを含む）」に設定されている。従って、ユーザ端末１００１は、ユーザ端末１００２へのメッセージが、着信者により認識できる形式でないと判定する。
【０１６２】
ユーザ端末１００１は、テキストメッセージへ、音声メッセージを変換する（ステップＳ１５０６）。つまり、音声メッセージ変換部１１３０は、テキストメッセージへ、音声メッセージを変換する。音声メッセージ変換部１１３０は、テキストメッセージをエンコードし、パケット化する。音声メッセージ変換部１１３０は、通信制御部１０６へ、テキストメッセージパケットを入力する。通信制御部１０６は、ＰＳ回線を介して、音声メッセージ変換部１１３０からのテキストメッセージパケットを送信する制御を行う。
【０１６３】
ユーザ端末１００１は、ユーザ端末１００２へ、テキストメッセージパケットを送信する（ステップＳ１５０８）。つまり、通信制御部１０６による制御により、ユーザ端末１００２へ、テキストメッセージパケットが送信される。
【０１６４】
該テキストメッセージパケットは、ネットワークを介して、ユーザ端末１００２へ送信される（ステップＳ１５１０）。
【０１６５】
＜無線通信システムの動作（その２）＞
図１６は、無線通信システムの動作の一実施例を示す。図１６には、主に、ユーザ端末１００１の動作が示される。
【０１６６】
図１６に示される例では、ユーザ端末１００１に、ＰＳ回線を介して、電子メールを送信する操作が行われる。着信側のユーザ端末１００２のユーザは電子メールに含まれる文字メッセージを認識できないため、ユーザ端末１００１により、音声メッセージに、電子メールに含まれる文字メッセージが変換される。
【０１６７】
ユーザ端末１００１は、ユーザにより指定された変換方式による発信が、規制されているかどうかを判定する（ステップＳ１６０２）。つまり、発信判定部１１２６は、ユーザによる操作より入力される操作信号に従って、規制状態設定部１１２４に設定されるべき規制状態を参照し、該操作信号により表される回線へのアクセス規制が実行されているかどうかを判定する。ここでは、ユーザによりＰＳ回線を介して電子メールを送信する操作が行われる。ＰＳ回線は規制されていない。
【０１６８】
ユーザ端末１００１は、ユーザ端末１００２へのメッセージの形式を判定する（ステップＳ１６０４）。つまり、メッセージ形式判定部１１２８は、記憶部１１０に格納された電話帳１１０２に含まれる状態フラグを参照し、ユーザ端末１００２へのメッセージが、着信者（側）により認識できる形式であるかどうかを判定する。ここでは、記憶部１１０に格納されたユーザ端末１００２のユーザの電話帳の状態フラグは「２：音声」に設定されている。従って、ユーザ端末１００１は、ユーザ端末１００２へのメッセージが、着信者（側）により認識できる形式でないと判定する。
【０１６９】
ユーザ端末１００１は、発信者（側）の情報を取得する（ステップＳ１６０６）。つまり、発信者情報取得部１１３２は、電子メールに含まれる発信者（側）の識別子に基づいて、記憶部１１０に格納される電話帳１１０２から、発信者（側）に対応するものを取得する。
【０１７０】
ユーザ端末１００１は、音声メッセージに、文字メッセージを変換する（ステップＳ１６０８）。
【０１７１】
ユーザ端末１００１は、ユーザ端末１００２へ、音声メッセージを送信する（ステップＳ１６１０）。つまり、通信制御部１０６による制御により、ユーザ端末１００２へ、音声メッセージが送信される。
【０１７２】
該音声メッセージは、ネットワークを介して、ユーザ端末１００２へ送信される（ステップＳ１６１２）。
【０１７３】
図１７は、ユーザ端末１００１が、音声メッセージに、文字メッセージを変換する処理の一実施例を示す。つまり、図１７は、ステップＳ１６０８の処理の一実施例を示す。
【０１７４】
ユーザ端末１００１は、発信者の固有音声パラメータが登録されているかどうかを判定する（ステップＳ１７０２）。つまり、出力音声設定部１１３４は、発信者情報取得部１１３２からの電話帳に、発信者のユーザの固有音声パラメータが含まれるかどうかを判定する。
【０１７５】
発信者情報取得部１１３２からの電話帳に、発信者の固有音声パラメータが含まれると判定された場合（ステップＳ１７０２：ＹＥＳ）、ユーザ端末１００１は、固有音声パラメータを利用して、音声メッセージに、文字メッセージを変換する（ステップＳ１７０４）。つまり、メッセージ変換部１１３６は、固有音声パラメータを利用して、音声メッセージに、文字メッセージを変換する制御を行う。
【０１７６】
発信者情報取得部１１３２からの電話帳に、発信者の固有音声パラメータが含まれないと判定された場合（ステップＳ１７０２：ＮＯ）、ユーザ端末１００１は、発信者に対応する電話帳に含まれる情報に基づいて、発信者分類テーブル１１０４から、発信者が分類されるカテゴリを表す発信者識別子を取得する（ステップＳ１７０６）。つまり、出力音声設定部１１３４は、発信者に対応する加入者情報に含まれる情報に基づいて、発信者分類テーブル１１０４から、発信者が分類されるカテゴリを表す発信者識別子を取得する。
【０１７７】
ユーザ端末１００１は、音声パラメータテーブル１１０６から、発信者識別子に対応する再生用パラメータを取得する（ステップＳ１７０８）。つまり、出力音声設定部１１３４は、音声パラメータテーブル１１０６から、発信者識別子に対応する再生パラメータを取得する。
【０１７８】
ファイルサーバ５００は、再生用パラメータを利用して、音声メッセージに、文字メッセージを変換する（ステップＳ１７１０）。つまり、メッセージ変換部５０５０は、再生用パラメータを利用して、音声メッセージに、文字メッセージを変換する制御を行う。
【０１７９】
本実施例によれば、発信者（側）のユーザ端末は、着信者（側）の状態に応じて、着信者（側）により認識できる形式で、メッセージを送信できる。具体的には、発信者（側）のユーザ端末は、着信者（側）が文字メッセージを認識できない場合には、音声メッセージに、文字メッセージを変換して送信する。発信者（側）のユーザ端末は、着信者（側）が音声メッセージを認識できない場合には、文字メッセージに、音声メッセージを変換して送信する。
【０１８０】
また、音声メッセージに、文字メッセージを変換する際に、発信者（側）のユーザ端末は、予め登録される発信者（側）の固有音声パラメータを利用して、発信者（側）の声を合成することができる。また、発信者（側）の固有音声パラメータが登録されていない場合でも、発信者（側）の特徴に応じた声を合成できる。
【０１８１】
着信者（側）の状態に応じて、テキストデータに変換された音声メッセージを送信できるため、ネットワークの負荷を軽減できる。また、発信者（側）の声や、発信者（側）の特徴に応じた声により出力できるため、着信者（側）に与える違和感を低減できる。
【０１８２】
説明の便宜上、発明の理解を促すため具体的な数値例を用いて説明されるが、特に断りのない限り、それらの数値は単なる一例に過ぎず適切な如何なる値が使用されてよい。
【０１８３】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０１８４】
１００１、１００２  ユーザ端末
２００１、２００２  基地局
３００１、３００２  ＲＮＣ
４００１、４００２  交換機
５００  ファイルサーバ
６００  コアネットワーク
１０２  入力部
１０４  出力部
１０６  通信制御部
１０８  無線部
１１０  記憶部
１１２  ＭＰＵ
１５０  バス
１１０２  電話帳
１１０４  発信者分類テーブル
１１０６  音声パラメータテーブル
１１２２  規制状態判断部
１１２４  規制状態設定部
１１２６  発信判定部
１１２８  メッセージ形式判定部
１１３０  音声メッセージ変換部
１１３２  発信者情報取得部
１１３４  出力音声設定部
１１３６  メッセージ変換部
５０２  通信部
５０４  ＭＰＵ
５０６  記憶部
５０８  通信制御部
５５０  バス
５０４２  メッセージ形式判定部
５０４４  音声メッセージ変換部
５０４６  発信者情報取得部
５０４８  出力音声設定部
５０５０  メッセージ変換部
５０６２  加入者情報
５０６４  発信者分類テーブル
５０６６  音声パラメータテーブル
【図１】
2013098850.tif 000003
【図２】
2013098850.tif 000004
【図３】
2013098850.tif 000005
【図４】
2013098850.tif 000006
【図５】
2013098850.tif 000007
【図６】
2013098850.tif 000008
【図７】
2013098850.tif 000009
【図８】
2013098850.tif 000010
【図９】
2013098850.tif 000011
【図１０】
2013098850.tif 000012
【図１１】
2013098850.tif 000013
【図１２】
2013098850.tif 000014
【図１３】
2013098850.tif 000015
【図１４】
2013098850.tif 000016
【図１５】
2013098850.tif 000017
【図１６】
2013098850.tif 000018
【図１７】
2013098850.tif 000019